(57)【要約】【課題】加熱電力の設定レベルの認識がし易く、同時に実際の入力電力を把握しつつ加熱が可能な使い勝手の良い誘導加熱調理器を提供することを目的とする。【解決手段】入力電力等を制御する制御部１２と、前記制御部１２からの信号により表示を行う表示部１３およびレベルメーター１４とを設けた誘導加熱調理器において、加熱時に、前記表示部１３は加熱電力の設定レベルを数字で表し、前記レベルメーター１４は実際の入力電力に相当するレベルを表示器の点灯数で表す。【選択図】  図２
2005019178.tif 000002
【特許請求の範囲】
【請求項１】
入力電力等を制御する制御部（１２）と、前記制御部（１２）からの信号により表示を行う表示部（１３）およびレベルメーター（１４）とを設けた誘導加熱調理器において、
加熱時に、前記表示部（１３）は加熱電力の設定レベルを数字で表し、前記レベルメーター（１４）は実際の入力電力に相当するレベルを表示器の点灯数で表すことを特徴とする誘導加熱調理器。
【請求項２】
前記表示部（１３）およびレベルメーター（１４）は操作により加熱電力の設定レベルと実際の入力電力に相当するレベルとを切換えて表示することを特徴とする請求項１記載の誘導加熱調理器。
【請求項３】
前記レベルメーター（１４）は加熱電力の設定レベルに相当する電力に対して実際の入力電力が低い場合には点灯する表示器を点滅することを特徴とする請求項１乃至請求項２記載の誘導加熱調理器。
【発明の詳細な説明】
【０００１】
【発明の属する技術分野】
本発明は、誘導加熱調理器の表示に関するものである。
【０００２】
【従来の技術】
誘導加熱調理器は、スイッチング素子を高周波で駆動して加熱コイルに高周波電流を流し、この高周波電流により磁束を発生させ、この磁束を介して加熱コイルに近接させた鉄やステンレスの鍋等の負荷に渦電流を発生させ、負荷自体の発熱作用によって加熱するものである。
【０００３】
従来の誘導加熱調理器は、加熱電力レベルの設定状態等の表示を表示部で行っており、この一例を図を用いて説明する。
【０００４】
図５は従来例および本発明の一実施例の加熱電力の設定レベルと加熱電力の対応を示す図、図６は従来例の誘導加熱調理器の表示部を示す図である。
【０００５】
図５において、加熱電力は１０段階に区分され、加熱電力の設定レベルが１から５までは加熱電力を１００Ｗ刻みとし、加熱電力の設定レベルが６以上については３００Ｗから５００Ｗの変動する刻みとしている。
【０００６】
図６において、表示部１３は液晶表示素子等で形成され、数字部１３ａ、複数の高さの異なるほぼ矩形の要素から成るレベルメーター部１３ｂ、複数の文字部１３ｃ等で構成されている。この数字部１３ａに加熱電力の設定レベルを数字で表示するとともに、レベルメーター部１３ｂにも加熱電力の設定レベルと等しい数のレベルメーター要素を点灯させて加熱電力の設定レベルを表示する。
【０００７】
以上の構成において、加熱電力のレベルが設定されると、表示部１３は前記数字部１３ａに加熱電力の設定レベルを数字で表示し、レベルメーター部１３ｂに加熱電力の設定レベルと等しい数のレベルメーター要素を点灯させる。
【０００８】
次いで、加熱が開始されると、表示部１３は引き続いて前記数字部１３ａに加熱電力の設定レベルを数字で表示し、レベルメーター部１３ｂに加熱電力の設定レベルと等しい数のレベルメーター要素を点灯させる。
【０００９】
しかし、このような加熱電力の設定レベルのみを表示する誘導加熱調理器には以下の問題があった。
【００１０】
加熱電力のレベルを設定し、負荷の加熱を開始した際、負荷の材質、形状等によっては設定した加熱電力の設定レベルに対応する電力に対して実際に負荷に供給される入力電力が異なる場合があり、このような場合においても表示されている電力レベルが加熱電力の設定レベルであるため、使用者は負荷に供給されている電力が設定した加熱電力の設定レベルに対応する電力であると勘違いすることがあった。
【００１１】
そこで、この問題に対処する例として、以下のような例がある。
【００１２】
特許文献１に示されている例は、加熱コイルへの設定電流を表示する設定電流表示部と加熱コイルの消費電流を表示する消費電流表示部を設け、設定電流と消費電流、すなわち加熱電力の設定レベルと実際の入力電力をレベルメーターで同時に見ることを可能とし、使い易さを向上したものである。
【００１３】
特許文献２に示されている例は、前記特許文献１に示した機能すなわち加熱電力の設定レベルと実際の入力電力をレベルメーターで同時に見る機能を一つの表示装置で実現し、使い勝手を向上したものである。
【００１４】
特許文献３に示されている例は、加熱時に表示部は設定された加熱電力の設定レベル表示を行わず、実際の入力電力とリンクした電力をレベルメーターで表示し、使い勝手を向上したものである。
【００１５】
【特許文献１】
実開昭６２−１４０６９３号公報
【特許文献２】
特開平５−３２６１２４号公報
【特許文献３】
特開２００１−３２６０６５号公報
【００１６】
【発明が解決しようとする課題】
前記した特許文献１、特許文献２及び特許文献３に示されているような従来の誘導加熱調理器は、加熱電力の設定レベルおよび実際の入力電力をレベルメーターで見ることを可能としているので、使い勝手のよいものであるが、このような誘導加熱調理器においては、加熱電力を区分する段階数が多くなるとレベルメーターでは加熱電力の設定レベルの認識がしづらくなり、使い勝手が不充分であった。
【００１７】
本発明は、前記課題を解決するものであり、加熱電力の設定レベルの認識がし易く、同時に実際の入力電力を把握しつつ加熱が可能な使い勝手の良い誘導加熱調理器を提供することを目的とする。
【００１８】
【課題を解決するための手段】
上記課題を解決するために本発明では、入力電力等を制御する制御部と、前記制御部からの信号により表示を行う表示部およびレベルメーターとを設けた誘導加熱調理器において、加熱時に、前記表示部は加熱電力の設定レベルを数字で表し、前記レベルメーターは実際の入力電力に相当するレベルを表示器の点灯数で表すものである。
【００１９】
【発明の実施の形態】
請求項１に記載の発明は、前述したように、入力電力等を制御する制御部と、前記制御部からの信号により表示を行う表示部およびレベルメーターとを設けた誘導加熱調理器において、加熱時に、前記表示部は加熱電力の設定レベルを数字で表し、前記レベルメーターは実際の入力電力に相当するレベルを表示器の点灯数で表すものである。
【００２０】
これにより、加熱電力の設定レベルの認識がし易く、同時に実際の入力電力を把握しつつ加熱が可能な使い勝手の良い誘導加熱調理器を提供することができる。
【００２１】
請求項２に記載の発明は、さらに、前記表示部およびレベルメーターは操作により加熱電力の設定レベルと実際の入力電力に相当するレベルとを切換えて表示するものである。
【００２２】
これにより、使用者が使い易い表示方法を選択することができ、一層使い勝手を良くすることができる。
【００２３】
請求項３に記載の発明は、さらに、前記レベルメーターは加熱電力の設定レベルに相当する電力に対して実際の入力電力が低い場合には点灯する表示器を点滅するものである。
【００２４】
これにより、使用している負荷（鍋）が加熱しづらいものであることを容易に確認でき、一層使い勝手を良くすることができる。
【００２５】
【実施例】
以下、本発明の一実施例を図面に基づいて説明する。図１は本発明の一実施例の誘導加熱調理器の回路ブロック図、図２は本発明の一実施例の誘導加熱調理器の上面図、図３は本発明の一実施例のレベルメーターを示す図、図４は本発明の一実施例の実際の入力電力とそのレベルとの対応を示す図、図５は従来例および本発明の一実施例の加熱電力とその設定レベルとの対応を示す図である。
【００２６】
先ず、全体の構成について説明する。
【００２７】
図１において、１は交流の電源である。２は整流回路で、二つの入力端子に交流の電源１を接続し、直流電源に変換する。３は平滑コンデンサで、整流回路２の出力端子部に接続され、整流回路２により直流に変換された電源を平滑する。
【００２８】
４は共振コンデンサで、二つを直列に接続し、その一端を前記直流電源の高圧側（整流回路２の＋端子部。以下同様。）に接続し、他の一端を前記直流電源の低圧側（整流回路２の−端子部。以下同様。）に接続するとともに、二つの直列接続点を後記加熱コイル５の第一の端子と接続している。
【００２９】
５は加熱コイルで、高周波電流が流れることにより、磁束を発生し、この磁束を介して近接された後記負荷１８に渦電流を発生させ、後記負荷１８自体の発熱作用によって加熱する。６は共振回路で、前記共振コンデンサ４と加熱コイル５とで構成される。
【００３０】
７はスナバコンデンサで、二つを直列に接続し、その一端を前記直流電源の高圧側に接続し、他の一端を前記直流電源の低圧側に接続するとともに、二つの直列接続点を前記加熱コイル５の第二の端子と接続している。
【００３１】
８はスイッチング素子で、逆並列ダイオードを有し、二つを直列に接続し、その一端を前記直流電源の高圧側に接続し、他端を前記直流電源の低圧側に接続するとともに、二つの直列接続点を加熱コイル５の第二の端子と接続している。この二つのスイッチング素子８のゲート部を後記駆動部９の出力部と接続している。
【００３２】
９は駆動部で、この入力部を後記制御部１２の出力部と接続し、出力部をスイッチング素子８のゲート部と接続している。
【００３３】
１０はコイル電流検出素子で、加熱コイル５に流れる電流を検出するよう設置され、その出力部を後記制御部１２の入力部と接続している。
【００３４】
１１は１次電流検出素子で、電源１と整流回路２との間に流れる電流を検出するように設置され、その出力部を後記制御部１２の入力部と接続している。
【００３５】
１２は制御部で、その入力部をコイル電流検出素子１０、一次電流検出素子１１、後記温度検出素子１５、後記電源電圧検出回路２０及び後記操作部１６と接続し、その出力部を前記駆動部９、後記表示部１３および後記レベルメーター１４と接続し、これらや入力電力等を制御する。
【００３６】
１３は表示部で、液晶表示素子等で形成され、その入力部を制御部１２の出力部と接続し、制御部１２からの出力信号により表示を行う。この表示部１３は、本実施例では、液晶表示素子で形成されているが、これに限らず、発光ダイオードのような発光素子等を用いても構わない。
【００３７】
１４はレベルメーターで、制御部１２の出力部と接続され、１０個の表示器、例えばＬＥＤランプによって構成され、各ＬＥＤランプは、制御部１２からの信号によりおのおの点灯し表示を行う。
【００３８】
１５は温度検出素子で、後記トッププレート１７の温度を検出するよう加熱コイル５中央上方で後記トッププレート１７の下部に設けられ、その出力部を後記制御部１２の入力部と接続している。
【００３９】
１６は操作部で、制御部１２の入力部と接続し、加熱電力のレベル等を設定する。
【００４０】
１７はトッププレートで、加熱コイル５の上方に配置され、この上に加熱される後記負荷１８を載置する。
【００４１】
１８は負荷で、加熱コイル５上方のトッププレート１７上に載置されて加熱される。
【００４２】
１９はインバーター回路で、スイッチング素子８とスナバコンデンサ７とで構成されている。このインバータ回路１９は、本実施例では電流共振型であるが、これに限定するものではない。
【００４３】
２０は電源電圧検出回路で、電源１の電圧を検出するように設置され、その出力部を制御部１２の入力部と接続している。
【００４４】
次に、主に表示の構成に関して説明する。
【００４５】
図２において、加熱部は左側に左誘導加熱（以下「ＩＨ」という。）ヒーター部２１、右側に右ＩＨヒーター部２２、ほぼ中央後部に中央ヒーター部２３の３箇所ある。左ＩＨヒーター部２１、右ＩＨヒーター部２２は前記加熱コイル５で形成されている。
【００４６】
表示については、液晶表示素子で形成されている左ＩＨヒーター部２１用の表示部１３および右ＩＨヒーター部２２用の表示部１３があり、この表示部１３は数字を表示するよう形成され、設定時および加熱時に制御部１２からの信号により加熱電力の設定レベルを数字で表す。
【００４７】
さらに、左ＩＨヒーター部２１の手前には左ＩＨヒーター部２１用のレベルメーター１４および右ＩＨヒーター部２２の手前には右ＩＨヒーター部２２用のレベルメーター１４がある。
【００４８】
尚、図１に示したのは、左または右ＩＨヒーター部２１、２２の回路ブロック図であり、左ＩＨヒーター部２１と右ＩＨヒーター部２２の回路は同じ構成のため、一方は省略した。また、中央ヒーター部２３の回路についても省略した。
【００４９】
図３において、レベルメーター１４は１０個の表示器（ＬＥＤランプ）で構成され、さらに火力の目安として文字や記号を表示し、加熱時に実際の入力電力に相当するレベルを表示器の点灯数で表している。この加熱時の実際の入力電力は制御部１２が１次電流検出素子１１と電源電圧検出回路２０からの信号により演算する。
【００５０】
実際の入力電力とその設定レベルとの対応を図４に示す。すなわち、実際の入力電力が１５０Ｗ以下の場合は実際の入力電力のレベルを１とし、１５１Ｗ以上２５０Ｗまでの場合には２とし、以下、図に示すように実際の入力電力を１０区分とし、実際の入力電力のレベル（１〜１０）と対応させる。
【００５１】
レベルメーター１４は、実際の入力電力に対応する実際の入力電力のレベルの数の個数の表示器（ＬＥＤランプ）を点灯させる。
【００５２】
例えば、実際の入力電力が１３５１Ｗから１８００Ｗの範囲内の値であれば、図４に示す対応により実際の入力電力のレベルは８となるので、レベルメーター１４は８個の表示器（ＬＥＤランプ）を点灯させる（図３参照）。
【００５３】
加熱電力の設定レベルと加熱電力の対応を図５に示す。すなわち、加熱電力は１０段階に区分され、加熱電力の設定レベルが１から５までは加熱電力を１００Ｗ刻みとし、加熱電力の設定レベルが６以上については３００Ｗから５００Ｗの変動する刻みとしている。
【００５４】
使用者は、例えば２５００Ｗで加熱したい時には、表示部１３の数字表示が１０になるように操作部１６を操作し、１６００Ｗで加熱したい時には、表示部１３の数字表示が８になるように操作部１６を操作すればよい。
【００５５】
以上の構成において、全体の動作を説明する。
【００５６】
使用者が負荷１８を加熱コイル５上方のトッププレート１７上に載置し、操作部１６内の図示しない電源スイッチをオンにすると、交流の電源１が整流回路２に供給され、整流回路２はこの電源１を直流電源に変換し、平滑コンデンサ３によって平滑される。そして、この平滑された直流電源が加熱コイル５及び共振コンデンサ４によって形成される共振回路６に供給される。
【００５７】
この状態において、使用者が操作部１６内の図示しない加熱電力調節ツマミを操作し加熱電力を設定すると、その信号が制御部１２に入力され、制御部１２は加熱電力の設定レベルに対応する信号を表示部１３に出力し、表示部１３はこの信号により加熱電力の設定レベルを数字で表示する。
【００５８】
次いで、使用者が操作部１６で加熱開始の操作を行うと、その信号が制御部１２に入力され、制御部１２はコイル電流検出素子１０、１次電流検出素子１１、電源電圧検出回路２０及び温度検出素子１５の信号を把握しながら、操作部１６で設定された加熱電力のレベルに応じて入力電力を制御するために、駆動部９に信号を出力し、駆動部９を介してインバーター回路１９すなわちスイッチング素子８を駆動する。
【００５９】
スイッチング素子８が駆動されると、インバーター回路１９は共振回路６に高周波の共振電流を発生させて、加熱コイル５上方のトッププレート１７上に載置される負荷１８を加熱する。この時、制御部１２は操作部１６で設定された加熱電力の設定レベルに応じて、入力電流等を制御し、適正な加熱電力を出力させる。
【００６０】
加熱開始とともに、制御部１２は１次電流検出素子１１と電源電圧検出回路２０からの信号により実際の入力電力を演算し、演算結果の信号をレベルメーター１４に出力する。レベルメーター１４はこの信号により実際の入力電力に相当するレベルを表示器（ＬＥＤランプ）の点灯数で表し、表示部１３は加熱電力の設定レベルを数字で表す。
【００６１】
尚、上記の説明において、レベルメーター１４を構成する表示器の数、実際の入力電力の区分数、および加熱電力の区分数は、本実施例では１０としたが、これに限定するものではない。また、レベルメーター１４を構成する表示器はＬＥＤランプとし、表示部１３は液晶表示素子としたが、これらに限定するものではない。また、レベルメーター１４と表示部１３を一体のもので構成してもよい。
【００６２】
以上のように、本実施例によれば、加熱電力の設定レベルを数字で表示し、且つ実際の入力電力に相当するレベルを表示器の点灯数で見ることができるので、設定した加熱電力の設定レベルと実際の負荷１８の加熱状態とを同時に容易に認識することが可能となり、負荷１８に実際に供給される入力電力が設定した加熱電力の設定レベルより低ければ、加熱電力の設定レベルを上げたり、逆の場合には下げたりという電力調節が容易に可能となる。
【００６３】
また、表示部１３およびレベルメーター１４は操作により加熱電力の設定レベルと実際の入力電力に相当するレベルとを切換えて表示する構成とする。
【００６４】
つまり、使用者が操作部１６内の図示しないスイッチを操作することにより、表示部１３において表示していた加熱電力の設定レベルを実際の入力電力に相当するレベルに切換える。また、同様に、使用者が操作部１６内の図示しないスイッチを操作することにより、レベルメーター１４において表示していた実際の入力電力に相当するレベルを加熱電力の設定レベルに切換える。
【００６５】
これにより、使用者が使い易い表示方法を選択することができ、一層使い勝手を良くすることができる。
【００６６】
また、レベルメーター１４は加熱電力の設定レベルに相当する電力に対して実際の入力電力が低い場合には点灯する表示器を点滅する構成とする。
【００６７】
例えば、負荷１８が加熱しづらい非磁性体等の場合、加熱電力の設定レベルが１０とすると、これに相当する加熱電力は２５００Ｗ（図５参照）であるが、実際の入力電力が、例えば１８０１〜２２５０Ｗの範囲内であれば、レベルメーター１４は９個の表示器（ＬＥＤランプ）が点灯し、且つこれらが点滅する。
【００６８】
これにより、使用している負荷（鍋）が加熱しづらいものであることを容易に確認でき、一層使い勝手を良くすることができる。
【００６９】
【発明の効果】
以上本発明によれば、請求項１に記載の発明は、入力電力等を制御する制御部と、前記制御部からの信号により表示を行う表示部およびレベルメーターとを設けた誘導加熱調理器において、加熱時に、前記表示部は加熱電力の設定レベルを数字で表し、前記レベルメーターは実際の入力電力に相当するレベルを表示器の点灯数で表すものである。
【００７０】
これにより、加熱電力の設定レベルの認識がし易く、同時に実際の入力電力を把握しつつ加熱が可能な使い勝手の良い誘導加熱調理器を提供することができるという効果を奏する。
【００７１】
請求項２に記載の発明は、さらに、前記表示部およびレベルメーターは操作により加熱電力の設定レベルと実際の入力電力に相当するレベルとを切換えて表示するものである。
【００７２】
これにより、使用者が使い易い表示方法を選択することができ、一層使い勝手を良くすることができるという効果を奏する。
【００７３】
請求項３に記載の発明は、さらに、前記レベルメーターは加熱電力の設定レベルに相当する電力に対して実際の入力電力が低い場合には点灯する表示器を点滅するものである。
【００７４】
これにより、使用している負荷（鍋）が加熱しづらいものであることを容易に確認でき、一層使い勝手を良くすることができるという効果を奏する。
【図面の簡単な説明】
【図１】本発明の一実施例の誘導加熱調理器の回路ブロック図である。
【図２】本発明の一実施例の誘導加熱調理器の上面図である。
【図３】本発明の一実施例のレベルメーターを示す図である。
【図４】本発明の一実施例の実際の入力電力とそのレベルとの対応を示す図である。
【図５】従来例および本発明の一実施例の加熱電力とその設定レベルとの対応を示す図である。
【図６】従来例の誘導加熱調理器の表示部を示す図である。
【符号の説明】
１２  制御部
１３  表示部
１４  レベルメーター
【図１】
2005019178.tif 000003
【図２】
2005019178.tif 000004
【図３】
2005019178.tif 000005
【図４】
2005019178.tif 000006
【図５】
2005019178.tif 000007
【図６】
2005019178.tif 000008